(57)【要約】【課題】乳母車の座席を高い位置に安定して支持する。【解決手段】乳母車１０は、ハンドル３０と、ハンドルの中間部分と回動可能に接続し乳幼児の臀部を支持するようになる座支持体４０と、ハンドル３０の下端部分と回動可能に接続した第１リンク２１と、第１リンク２１と回動可能に接続した前脚６０と、座支持体４０及び第１リンク２１と回動可能に接続した第２リンク２２と、を有する。【選択図】図１
2020196322.tif 000002
【特許請求の範囲】
【請求項１】
ハンドルと、
前記ハンドルの中間部分と回動可能に接続し、乳幼児の臀部を支持するようになる座支持体と、
前記ハンドルの下端部分と回動可能に接続した第１リンクと、
前記第１リンクと回動可能に接続した前脚と、
前記座支持体及び前記第１リンクと回動可能に接続した第２リンクと、を備える、乳母車。
【請求項２】
前記ハンドルは、前記座支持体との接続位置よりも上方となる位置において屈曲可能である、請求項１に記載の乳母車。
【請求項３】
前記ハンドルに支持され、前記ハンドルの前記第１リンクに対する相対回動にともなった折り畳み動作を規制する第１規制部材と、
前記ハンドルに支持され、前記ハンドルの屈曲を規制する第２規制部材と、
前記ハンドルに設けられた遠隔操作装置の操作を前記第１規制部材および前記第２規制部材に伝達する伝達手段と、を更に備える、請求項２に記載の乳母車。
【請求項４】
前記遠隔操作装置を第１操作量だけ操作した場合に、前記第２規制部材により前記ハンドルの屈曲が規制されたまま、前記第１規制部材による前記ハンドルの前記第１リンクに対する回動の規制が解除され、
前記第１操作量よりも大きい第２操作量だけ前記遠隔操作装置を操作した場合に、前記第１規制部材による前記ハンドルの前記第１リンクに対する回動の規制が解除され、且つ、前記第２規制部材による前記ハンドルの屈曲の規制が解除される、請求項３に記載の乳母車。
【請求項５】
乳母車の側面視において、前記ハンドルの屈曲可能な位置から上端までの長さは、前記ハンドルの屈曲可能な位置から下端までの長さよりも長い、請求項２〜４のいずれか一項に記載の乳母車。
【請求項６】
前記座支持体上に設けられた座席部材を更に備え、
前記座席部材は、前記座支持体と前記ハンドルとに取り付けられ且つ前記乳幼児に側方から対面するようになる側方材を含み、
前記ハンドルの前記屈曲可能な位置は、前記座支持体が接続した位置と、前記側方材が接続した位置との間にある、請求項２〜５のいずれか一項に記載の乳母車。
【請求項７】
前記座支持体の前記ハンドルとの接続位置よりも前方となる位置と、前記ハンドルの前記座支持体との接続位置よりも上方となる位置と、の間を連結する連結補強手段が設けられている、請求項１〜６のいずれか一項に記載の乳母車。
【請求項８】
前記座支持体上に設けられた座席部材を更に備え、
前記座席部材は、前記座支持体と前記ハンドルとに取り付けられ且つ前記乳幼児に側方から対面するようになる側方材を含み、
前記側方材が連結補強手段を構成している、請求項７に記載の乳母車。
【請求項９】
前記前脚よりも後方に位置する一対の後脚と、
前記一対の後脚を連結する後方連結部材と、
前記前脚または前記前脚から側方に延び出した部材と、前記後方連結部材と、に回動可能に接続した屈曲可能なスタンド部材と、を更に備え、
前記スタンド部材は、前記乳母車を折り畳んだ際に屈曲し、屈曲した前記スタンド部材と前記一対の後脚に保持された車輪とが接地することで折り畳まれた乳母車が起立する、請求項１〜８のいずれか一項に記載の乳母車。
【請求項１０】
前記スタンド部材は、前記前脚または前記前脚から側方に延び出した部材と回動可能に接続した第１スタンド要素と、前記後方連結部材及び前記第１スタンド要素と回動可能に接続した第２スタンド要素と、を有し、
側面視において、前記前脚または前記前脚から側方に延び出した部材に対する前記第１スタンド要素の回動中心から第１スタンド要素７１の端部までの長さは、前記回動中心から前記前脚に保持された車輪の外周までの最長距離よりも長い、請求項９に記載の乳母車。
【請求項１１】
前記スタンド部材は、前記前脚または前記前脚から側方に延び出した部材と回動可能に接続した第１スタンド要素と、前記後方連結部材及び前記第１スタンド要素と回動可能に接続した第２スタンド要素と、を有し、
折り畳んだ乳母車の側面視において、前記第１スタンド要素は、前記前脚に沿って延び且つ前記前脚から延び出している、請求項９又は１０に記載の乳母車。
【請求項１２】
前記スタンド部材によって下方から支持された収納かごを更に備える、請求項９〜１１のいずれか一項に記載の乳母車。
【請求項１３】
屈曲可能なハンドルと、
前記ハンドルの屈曲可能な位置よりも下方となる位置で当該ハンドルと回動可能に接続し、乳幼児の臀部を支持するようになる座支持体と、
前記ハンドルに支持され、前記ハンドルの前記座支持体に対する相対回動にともなった折り畳み動作を規制する第１規制部材と、
前記ハンドルに支持され、前記ハンドルの屈曲を規制する第２規制部材と、
前記ハンドルに設けられた遠隔操作装置の操作を前記第１規制部材および前記第２規制部材に伝達する伝達手段と、を備える、乳母車。
【請求項１４】
第１操作量だけ前記遠隔操作装置を操作した場合に、前記第２規制部材により前記ハンドルの屈曲が規制されたまま、前記第１規制部材による折り畳み動作の規制が解除され、
前記第１操作量よりも大きい第２操作量だけ前記遠隔操作装置を操作した場合に、前記第１規制部材による前記折り畳み動作の規制が解除され、且つ、前記第２規制部材による前記ハンドルの屈曲の規制が解除される、請求項１３に記載の乳母車。
【請求項１５】
ハンドルと、
前記ハンドルと回動可能に接続し、乳幼児の臀部を支持するようになる座支持体と、を備え、
前記座支持体の前記ハンドルとの接続位置よりも前方となる位置と、前記ハンドルの前記座支持体との接続位置よりも上方となる位置と、の間を連結する連結補強手段が設けられている、乳母車。
【請求項１６】
折り畳み可能な乳母車であって、
前脚と、
前記前脚よりも後方に位置する一対の後脚と、
前記一対の後脚を連結する後方連結部材と、
前記前脚または前記前脚から側方に延び出した部材と、前記後方連結部材と、に回動可能に接続した屈曲可能なスタンド部材と、を備え、
前記スタンド部材は、前記乳母車を折り畳んだ際に屈曲し、屈曲した前記スタンド部材と前記一対の後脚に保持された車輪とが接地することで折り畳まれた乳母車が起立する、乳母車。
【請求項１７】
乳幼児の臀部を支持するようになる座支持体と、
前記座支持体と回動可能に接続した主リンクと、
前記主リンクの下端部分と回動可能に接続した第１リンクと、
前記第１リンクと回動可能に接続した前脚と、
前記座支持体及び前記第１リンクと回動可能に接続した第２リンクと、
前記主リンクと回動可能に接続したハンドルと、を備える、乳母車。
【発明の詳細な説明】
【技術分野】
【０００１】
本発明は、乳母車、とりわけ展開状態から折り畳み状態に折り畳み可能な乳母車に関する。
【背景技術】
【０００２】
乳幼児を連れ出す際に乳母車が広く利用に供されている（例えば特許文献１）。このような乳母車においては、乳母車の走行面の粉塵や温度から乳幼児を保護するため、乳幼児が載せられる座席の高さを高くすることが好ましい。
【先行技術文献】
【特許文献】
【０００３】
【特許文献１】特開２０１７−８１２５２号公報
【発明の概要】
【発明が解決しようとする課題】
【０００４】
しかしながら、座席を高い位置に配置すると、座席を安定して支持することが難しくなる。座席の支持が安定しないと、乗り心地が悪化してしまう。本発明は、以上の点を考慮してなされたものであり、座席を高い位置に安定して支持することを目的とする。
【課題を解決するための手段】
【０００５】
本発明による第１の乳母車は、
ハンドルと、
前記ハンドルの中間部分と回動可能に接続し、乳幼児の臀部を支持するようになる座支持体と、
前記ハンドルの下端部分と回動可能に接続した第１リンクと、
前記第１リンクと回動可能に接続した前脚と、
前記座支持体及び前記第１リンクと回動可能に接続した第２リンクと、を備える。
【０００６】
本発明による第１の乳母車において、前記ハンドルは、前記座支持体との接続位置よりも上方となる位置において屈曲可能であってもよい。
【０００７】
本発明による第１の乳母車において、
前記ハンドルに支持され、前記ハンドルの前記第１リンクに対する相対回動にともなった折り畳み動作を規制する第１規制部材と、
前記ハンドルに支持され、前記ハンドルの屈曲を規制する第２規制部材と、
前記ハンドルに設けられた遠隔操作装置の操作を前記第１規制部材および前記第２規制部材に伝達する伝達手段と、を更に備えるようにしてもよい。
【０００８】
本発明による第１の乳母車において、
前記遠隔操作装置を第１操作量だけ操作した場合に、前記第２規制部材により前記ハンドルの屈曲が規制されたまま、前記第１規制部材による前記ハンドルの前記第１リンクに対する回動の規制が解除され、
前記第１操作量よりも大きい第２操作量だけ前記遠隔操作装置を操作した場合に、前記第１規制部材による前記ハンドルの前記第１リンクに対する回動の規制が解除され、且つ、前記第２規制部材による前記ハンドルの屈曲の規制が解除されるようにしてもよい。
【０００９】
本発明による第１の乳母車において、乳母車の側面視において、前記ハンドルの屈曲可能な位置から上端までの長さは、前記ハンドルの屈曲可能な位置から下端までの長さよりも長くなっていてもよい。
【００１０】
本発明による第１の乳母車において、
前記座支持体上に設けられた座席部材を更に備え、
前記座席部材は、前記座支持体と前記ハンドルとに取り付けられ且つ前記乳幼児に側方から対面するようになる側方材を含み、
前記ハンドルの前記屈曲可能な位置は、前記座支持体が接続した位置と、前記側方材が接続した位置との間にあるようにしてもよい。
【００１１】
本発明による第１の乳母車において、前記座支持体の前記ハンドルとの接続位置よりも前方となる位置と、前記ハンドルの前記座支持体との接続位置よりも上方となる位置と、の間を連結する連結補強手段が設けられていてもよい。
【００１２】
本発明による第１の乳母車において、
前記座支持体上に設けられた座席部材を更に備え、
前記座席部材は、前記座支持体と前記ハンドルとに取り付けられ且つ前記乳幼児に側方から対面するようになる側方材を含み、
前記側方材が連結補強手段を構成していてもよい。
【００１３】
本発明による第１の乳母車において、
前記前脚よりも後方に位置する一対の後脚と、
前記一対の後脚を連結する後方連結部材と、
前記前脚または前記前脚から側方に延び出した部材と、前記後方連結部材と、に回動可能に接続した屈曲可能なスタンド部材と、を更に備え、
前記スタンド部材は、前記乳母車を折り畳んだ際に屈曲し、屈曲した前記スタンド部材と前記一対の後脚に保持された車輪とが接地することで折り畳まれた乳母車が起立するようにしてもよい。
【００１４】
本発明による第１の乳母車において、
前記スタンド部材は、前記前脚または前記前脚から側方に延び出した部材と回動可能に接続した第１スタンド要素と、前記後方連結部材及び前記第１スタンド要素と回動可能に接続した第２スタンド要素と、を有し、
側面視において、前記前脚または前記前脚から側方に延び出した部材に対する前記第１スタンド要素の回動中心から第１スタンド要素７１の端部までの長さは、前記回動中心から前記前脚に保持された車輪の外周までの最長距離よりも長くなっていてもよい。
【００１５】
本発明による第１の乳母車において、
前記スタンド部材は、前記前脚または前記前脚から側方に延び出した部材と回動可能に接続した第１スタンド要素と、前記後方連結部材及び前記第１スタンド要素と回動可能に接続した第２スタンド要素と、を有し、
折り畳んだ乳母車の側面視において、前記第１スタンド要素は、前記前脚に沿って延び且つ前記前脚から延び出していてもよい。
【００１６】
本発明による第１の乳母車は、前記スタンド部材によって下方から支持された収納かごを更に備えるようにしてもよい。
【００１７】
本発明による第１の乳母車は、
前記ハンドルの中間部分と回動可能に接続した第３リンクと、
前記第３リンクと回動可能に接続した後脚と、
前記第１リンクおよび前記ハンドルの少なくとも一方と、前記後脚と、に回動可能に接続した第４リンクと、を更に備えるようにしてもよい。
【００１８】
本発明による第１の乳母車において、前記前脚は、前記後脚および前記第３リンクの少なくとも一方と回動可能に接続していてもよい。
【００１９】
本発明による第２の乳母車は、
屈曲可能なハンドルと、
前記ハンドルの屈曲可能な位置よりも下方となる位置で当該ハンドルと回動可能に接続し、乳幼児の臀部を支持するようになる座支持体と、
前記ハンドルに支持され、前記ハンドルの前記座支持体に対する相対回動にともなった折り畳み動作を規制する第１規制部材と、
前記ハンドルに支持され、前記ハンドルの屈曲を規制する第２規制部材と、
前記ハンドルに設けられた遠隔操作装置の操作を前記第１規制部材および前記第２規制部材に伝達する伝達手段と、を備える。
【００２０】
本発明による第２の乳母車において、
第１操作量だけ前記遠隔操作装置を操作した場合に、前記第２規制部材により前記ハンドルの屈曲が規制されたまま、前記第１規制部材による折り畳み動作の規制が解除され、
前記第１操作量よりも大きい第２操作量だけ前記遠隔操作装置を操作した場合に、前記第１規制部材による前記折り畳み動作の規制が解除され、且つ、前記第２規制部材による前記ハンドルの屈曲の規制が解除されるようにしてもよい。
【００２１】
本発明による第３の乳母車は、
ハンドルと、
前記ハンドルと回動可能に接続し、乳幼児の臀部を支持するようになる座支持体と、を備え、
前記座支持体の前記ハンドルとの接続位置よりも前方となる位置と、前記ハンドルの前記座支持体との接続位置よりも上方となる位置と、の間を連結する連結補強手段が設けられている。
【００２２】
本発明による第４の乳母車は、
折り畳み可能な乳母車であって、
前脚と、
前記前脚よりも後方に位置する一対の後脚と、
前記一対の後脚を連結する後方連結部材と、
前記前脚または前記前脚から側方に延び出した部材と、前記後方連結部材と、に回動可能に接続した屈曲可能なスタンド部材と、を備え、
前記スタンド部材は、前記乳母車を折り畳んだ際に屈曲し、屈曲した前記スタンド部材と前記一対の後脚に保持された車輪とが接地することで折り畳まれた乳母車が起立する。
【００２３】
本発明による第５の乳母車は、
乳幼児の臀部を支持するようになる座支持体と、
前記座支持体と回動可能に接続した主リンクと、
前記主リンクの下端部分と回動可能に接続した第１リンクと、
前記第１リンクと回動可能に接続した前脚と、
前記座支持体及び前記第１リンクと回動可能に接続した第２リンクと、
前記主リンクと回動可能に接続したハンドルと、を備える。
【発明の効果】
【００２４】
本発明によれば、座席を高い位置に安定して支持することを目的とする。
【図面の簡単な説明】
【００２５】
【図１】本発明の一実施の形態を説明するための図であって、乳母車の一具体例を前方から示す斜視図。
【図２】図１の乳母車の後方から示す斜視図。
【図３】図１の乳母車を示す側面図。
【図４】図１の乳母車を示す縦断面図。
【図５】図１の乳母車を折り畳んだ状態で示す側面図。
【図６】図１の乳母車を折りたたみ且つハンドルを屈曲させた状態で示す側面図。
【図７Ａ】図１の乳母車の折り畳みを規制する第１規制部材および図１の乳母車のハンドルの屈曲を規制する第２規制部材を説明するための図である。
【図７Ｂ】図１の乳母車の折り畳みを規制する第１規制部材および図１の乳母車のハンドルの屈曲を規制する第２規制部材を説明するための図である。
【図７Ｃ】図１の乳母車の折り畳みを規制する第１規制部材および図１の乳母車のハンドルの屈曲を規制する第２規制部材を説明するための図である。
【発明を実施するための形態】
【００２６】
以下、図面に示された一具体例を参照しながら本発明の一実施の形態について説明する。
【００２７】
図１〜図７Ｃは本発明による乳母車の一実施の形態を説明するための図である。図１〜図６には、乳母車の具体例の全体構成が示されている。乳母車１０は、図１及び図２等に示された乳母車本体２０と、図３のみに模式的に示された収納かご１２及び座席部材１５と、を有している。乳母車本体２０は、ハンドル３０、座支持体４０、前輪６１を回転可能に保持した前脚６０、及び、後輪６３を回転可能に保持した後脚６２を有している。収納かご１２は、座支持体４０の下方であって、前脚６０及び後脚６２の間に保持されている。座席部材１５は、座支持体４０及びハンドル３０に取り外し可能に取り付けられている。乳幼児は、この座席部材１５上に着座する。
【００２８】
乳母車１０（乳母車本体２０）は、図１〜図４に示された展開状態から図５に示された折り畳み状態へ折り畳み可能に構成されている。さらに、図示された乳母車１０（乳母車本体２０）は、図５に示された状態からハンドル３０を屈曲させることで、図６に示された状態へと更に小型化され得る。また、乳母車１０（乳母車本体２０）は、折り畳み状態から展開状態に展開することもできる。折り畳み動作および展開動作を行う際、乳母車本体２０のハンドル３０、座支持体４０、前脚６０及び後脚６２は、乳母車本体２０を折り畳み可能および展開可能に構成するリンクとして機能する。また、折り畳み動作および展開動作を可能とするため、乳母車本体２０は、第１〜第４リンクＬ１，Ｌ２，Ｌ３，Ｌ４を更に有している。
【００２９】
なお、以下において、図５に示された状態を第１の折り畳み状態とも呼び、図６に示された状態を第２の折り畳み状態と呼ぶ。
【００３０】
ところで、本明細書中において、乳母車およびその構成要素に対する「前」、「後」、「上」、「下」、「前後方向」、および「上下方向」の用語は、特に指示がない場合、展開状態にある乳母車に乗車する乳幼児を基準とした「前」、「後」、「上」、「下」、「前後方向」、および「上下方向」を意味する。さらに詳しくは、「前後方向」とは、図１における紙面の左下と右上とを結ぶ方向、図２における紙面の左上と右下とを結ぶ方向、図３及び図４における紙面の左右の方向に相当する。そして、特に指示がない限り、「前」とは、乗車した乳幼児が向く側であり、図１における紙面の左下側、図２における紙面の左上側、並びに、図３及び図４における紙面の左側が前となる。一方、「上下方向」とは乳母車の走行面に直交する方向である。したがって、走行面が水平面である場合、「上下方向」とは鉛直方向をさす。また、「横方向」とは幅方向であって、「前後方向」および「上下方向」のいずれにも直交する方向である。
【００３１】
図１及び図２に示すように、図示された乳母車１０は、全体的に、横方向中心に位置し前後方向及び上下方向に沿った面を中心として概ね対称な構成を有している。なお、図４に示された縦断面図は、横方向中心に位置し前後方向及び上下方向に沿った面での断面を示している。
【００３２】
まず、乳母車の全体構成として、乳母車本体２０について説明する。上述したように、乳母車本体２０は、ハンドル３０、座支持体４０、前脚６０、後脚６２、及び、第１〜第４リンクＬ１〜Ｌ４を有している。
【００３３】
図１及び図２に示すように、ハンドル３０は、ハンドル本体３１と、ハンドル本体３１に保持された遠隔操作装置３４と、を有している。ハンドル本体３１は、互いに略平行に延びる一対の軸部３１ａと、一対の軸部３１ａ間を連結する中間部３１ｂと、を含んでいる。ハンドル本体３１は、全体として略Ｕ字状の形状を有している。ハンドル３０は、Ｕ字の両端部が下方に位置するよう、配置されている。
【００３４】
図５に示すように、ハンドル本体３１は、一対の軸部３１ａの上下方向における中間部分において屈曲可能となっている。具体的には、ハンドル本体３１は、幅方向に延びる屈曲軸線ＢＡを中心として、互いに回動可能に接続した第１ハンドル要素３２及び第２ハンドル要素３３を有している。第１ハンドル要素３２は、ハンドル本体３１の略上半分を構成し、略Ｕ字状の形状を有している。第２ハンドル要素３３は、第１ハンドル要素３２の両端部の各々に対応して一対設けられている。各第２ハンドル要素３３は、直線状に延びる外形状を有している。図３に示すように、乳母車１０の側面視において、乳母車本体２０の屈曲可能な位置から上端までの長さＬＵは、ハンドル３０の屈曲可能な位置から下端までの長さＬＬよりも長くなっている。
【００３５】
遠隔操作装置３４は、ハンドル本体３１の中間部３１ｂに設けられている。したがって、遠隔操作装置３４は、第１ハンドル要素３２に設けられている。遠隔操作装置３４は、後に詳述する第１折り畳み規制部材２６及び第２折り畳み規制部材２７を操作する際に使用される。第１折り畳み規制部材２６は乳母車１０の折り畳み動作を規制し、第２折り畳み規制部材２７はハンドル３０の屈曲動作を規制する。遠隔操作装置３４を用いて第１折り畳み規制部材２６及び第２折り畳み規制部材２７を操作することで、乳母車１０の折り畳み動作およびハンドル３０の屈曲動作を可能にすることができる。
【００３６】
次に、座支持体４０について説明する。図１〜図３に示すように、座支持体４０はハンドル３０と接続している。座支持体４０は、ハンドル３０の屈曲可能となる位置よりも下方となる位置において、ハンドル３０に接続している。座支持体４０は、幅方向に延びる第１回動軸線ＲＡ１を中心として、ハンドル３０に対して回動可能となっている。図示された例において、座支持体４０の後端部分が、ハンドル３０の上下方向における中間部分と回動可能に接続している。座支持体４０は、上述したように座席部材１５を取り付けられる。座支持体４０は、乳母車１０に乗車した乳幼児の臀部を下方から支持するようになる。
【００３７】
図示された例において、座支持体４０は、ハンドル３０と接続した座フレーム４１と、座フレーム４１上に支持された座ベース布材４２と、座フレーム４１に支持された延出補助フレーム４３と、を有している。座フレーム４１は、全体として四角形の外形状に沿ったフレームを形成している。座フレーム４１は、ハンドル３０の各第２ハンドル要素３３と回動可能に接続した一対の側部４１ａと、一対の側部４１ａの前端部間を接続する前部４１ｂと、一対の側部４１ａの後端部間を接続する後部４１ｃと、を含んでいる。一対の側部４１ａ及び前部４１ｂは、細長い金属製の部材（筒または棒）を折り曲げ加工することで一体的に形成され得る。後部４１ｃは、側部４１ａとは別の金属製の筒材により構成され得る。座ベース布材４２は、布材等からなり、座フレーム４１に張った状態で取り付けられている。座ベース布材４２は、座席部材１５を支持するための支持面を形成する。
【００３８】
延出補助フレーム４３は、座フレーム４１に取り付けられた座取り付け部材４４によって保持されている。延出補助フレーム４３は、座フレーム４１に対して前後方向に移動可能となっている。延出補助フレーム４３は、座フレーム４１の下方となる位置と、座フレーム４１から前方に突出した位置と、の間を移動可能となっている。延出補助フレーム４３は、前方に移動して座フレーム４１から前方に突出することで、座席部材１５を支持する領域を広げることができる。すなわち、延出補助フレーム４３を前方に移動させることで、座席部材１５によって形成される座面を前方に広げることができる。
【００３９】
図１及び図３によく示すように、座取り付け部材４４は幅方向に離間して一対設けられている。各座取り付け部材４４は、幅方向において同一の側に位置する座フレーム４１の側部４１ａに取り付けられている。各座取り付け部材４４は、対応する側部４１ａの前後方向における中間部分に取り付けられている。また、一対の座取り付け部材４４の間に、ガード材４５が架け渡されている。ガード材４５は、乳母車１０に乗車した乳幼児の腹部上を通過するようになる。
【００４０】
第１リンク２１は、図４によく示されているように、ハンドル３０の下端部分と接続している。第１リンク２１は、幅方向に延びる第２回動軸線ＲＡ２を中心としてハンドル３０に対して回動可能となっている。第１リンク２１は前脚６０とも回動可能に接続している。図示された例において、第１リンク２１は、前脚６０の中間部分と接続している。第１リンク２１は、幅方向に延びる第３回動軸線ＲＡ３を中心として前脚６０に対して回動可能となっている。また、第１リンク２１は幅方向に離間して一対設けられており、前脚６０も幅方向に離間して一対設けられている。第１リンク２１は、幅方向において同一の側となるハンドル３０の軸部３１ａと回動可能に接続し、且つ、幅方向において同一の側となる前脚６０と回動可能に接続している。
【００４１】
図示された例において、第１リンク２１は、中央リンク部材５０によって構成されている。図１によく示されているように、中央リンク部材５０は、後方連結部５１、前方連結部５２及び前後連結部５３を含んでいる。後方連結部５１は、ハンドル３０の一対の軸部３１ａの下端部分の間を連結している。後方連結部５１は、軸部３１ａの下端部分と回動可能に接続している。前方連結部５２は、一対の前脚６０の中間部分の間を連結している。前方連結部５２は、前脚６０の中間部分と回動可能に接続している。前方連結部５２は、フットレストとしても機能する。後方連結部５１及び前方連結部５２の間に、幅方向に離間して一対の前後連結部５３が設けられている。一対の前後連結部５３の幅方向への離間間隔は、前方から後方に向けてしだいに狭くなっていく。また、前後連結部５３は、前方から後方へ向けて上方に傾斜している。
【００４２】
中央リンク部材５０は、後方連結部５１、前方連結部５２及び一対の前後連結部５３を一体的に成形した樹脂成形物であってもよい。あるいは、後方連結部５１は、前後連結部５３と一体的に成形された樹脂成形物に加え、補強用の金属製の筒材等を更に有するようにしてもよい。同様に、前方連結部５２は、前後連結部５３と一体的に成形された樹脂成形物に加え、補強用の金属製の筒材等を更に有するようにしてもよい。
【００４３】
各第１リンク２１は、幅方向における同一の側となる一方の前後連結部５３と、当該前後連結部５３と幅方向における同一の側となる一方の軸部３１ａとの間に位置する後方連結部５１の部分と、当該前後連結部５３と幅方向における同一の側となる一方の前脚６０との間に位置する前方連結部５２の部分と、によって構成される。
【００４４】
第２リンク２２は、座支持体４０及び第１リンク２１と回動可能に接続している。図示された例において、第２リンク２２は、座支持体４０の前後方向における中間部分と接続している。第２リンク２２は、幅方向に延びる第４回動軸線ＲＡ４を中心として座支持体４０に対して回動可能となっている。また、第２リンク２２は、第１リンク２１をなす中央リンク部材５０の前後連結部５３の前後方向における中間部分と接続している。第２リンク２２は、幅方向に延びる第５回動軸線ＲＡ５を中心として第１リンク２１に対して回動可能となっている。第２リンク２２は、幅方向に離間して一対設けられている。各第２リンク２２は、幅方向において同一の側となる座支持体４０の側部４１ａと接続し、且つ、幅方向において同一の側となる第１リンク２１（前後連結部５３）と接続している。
【００４５】
図示された例において、第２リンク２２は、支持フレーム材５５によって構成されている。支持フレーム材５５は、金属製の棒状の部材として構成されている。図１に示すように、支持フレーム材５５は、上端部および下端部において幅方向に延びている。支持フレーム材５５は、上端部および下端部の間において上下方向に延びている。各支持フレーム材５５は、その上端部において幅方向における外方に向けて屈曲し、幅方向における同一の側に位置する座取り付け部材４４を貫通している。第４回動軸線ＲＡ４は、棒状形状を有する支持フレーム材５５の上端部の中心軸線に一致している。各支持フレーム材５５は、その下端部において幅方向における内方に向けて屈曲し、幅方向における同一の側に位置する前後連結部５３を貫通している。第５回動軸線ＲＡ５は、棒状形状を有する支持フレーム材５５の下端部の中心軸線に一致している。このような支持フレーム材５５の取り付け構成によれば、座支持体４０に幅方向への力が加えられた際に、支持フレーム材５５が第１リンク２１や座支持体４０から外れてしまうことを効果的に防止することができ、結果として、支持フレーム材５５によって座支持体４０を安定して支持することができる。
【００４６】
なお、幅方向における内側（内方）とは、幅方向における乳母車１０の中心に近接する側のことである。幅方向における外側（外方）とは、幅方向における乳母車１０の中心から離間する側のことである。
【００４７】
支持フレーム材５５は、図４に示された側面視において、略鉛直方向に延びている。典型的には、支持フレーム材５５が側面視において上下方向に対してなす角度は、好ましくは１０°以下、より好ましくは５°以下、さらに好ましくは０°となる。このような支持フレーム材５５によれば、後端部分においてハンドル３０に接続した座支持体４０の前方部分を下方から安定して支持することができる。
【００４８】
また、図１に示すように、各支持フレーム材５５は、上方から下方に向けて幅方向における内方へ向かうよう、上下方向に対して傾斜している。結果として、一対の支持フレーム材５５の幅方向への離間間隔は、上下方向における上方から下方に向けてしだいに狭くなっている。このような支持フレーム材５５によれば、座支持体４０に幅方向への力が加えられた際にも、座支持体４０を安定して支持することができる。
【００４９】
第３リンク２３は、ハンドル３０の上下方向における中間部分と回動可能に接続している。また、第３リンク２３は、後脚６２と回動可能に接続している。図示された例において、第３リンク２３は、第１回動軸線ＲＡ１を中心としてハンドル３０および座支持体４０に対して回動可能となっている。第３リンク２３は、幅方向に延びる第６回動軸線ＲＡ６を中心として後脚６２と回動可能に接続している。第３リンク２３は幅方向に離間して一対設けられており、後脚６２も幅方向に離間して一対設けられている。各第３リンク２３は、幅方向において同一の側となるハンドル３０の軸部３１ａと回動可能に接続し、且つ、幅方向において同一の側となる後脚６２と回動可能に接続している。図示された例において、第３リンク２３は、例えば樹脂成形物からなる連結リンク部材６５によって構成されている。連結リンク部材６５は、その長手方向における一方の端部においてハンドル３０と接続し、その長手方向における他方の端部において後脚６２と接続している。
【００５０】
第４リンク２４は、図２に示すように、第１リンク２１及びハンドル３０の少なくとも一方と回動可能に接続している。また、第４リンク２４は、後脚６２の中間部分と回動可能に接続している。図示された例において、第４リンク２４は、軸部材２８（図３参照）を介して第１リンク２１及びハンドル３０の両方と回動可能に接続している。第４リンク２４は、第１リンク２１の後端部分と接続している。第４リンク２４は、ハンドル３０の軸部３１ａの下端部分と接続している。ただし、この例に限られず、第４リンク２４は、第１リンク２１のみと回動可能に接続していてもよいし、或いは、ハンドル３０のみと回動可能に接続していてもよい。
【００５１】
第４リンク２４は、第２回動軸線ＲＡ２を中心として、第１リンク２１及びハンドル３０に対して回動可能となっている。第４リンク２４は幅方向に離間して一対設けられている。各第４リンク２４は、幅方向において同一の側となるハンドル３０の軸部３１ａ及び第１リンク２１（中央リンク部材５０の後方連結部５１）と回動可能に接続し、且つ、幅方向において同一の側となる後脚６２と回動可能に接続している。図示された例において、第４リンク２４は、例えば樹脂成形物からなる、ブラケット部材６７によって構成されている。ブラケット部材６７は、その長手方向における一方の端部において第１リンク２１及びハンドル３０と接続し、その長手方向における他方の端部において後脚６２と接続している。
【００５２】
前脚６０は、その上端部分において、第３リンク２３及び後脚６２の少なくとも一方と回動可能に接続している。図示された例において、前脚６０は、幅方向に延びる第８回動軸線ＲＡ８を中心として後脚６２と回動可能に接続している。ただしこの例に限られず、前脚６０は、第３リンク２３と回動可能に接続していてもよいし、第３リンク２３及び後脚６２の両方と回動可能に接続していてもよい。各前脚６０は、その下端部分に、双輪構造のキャスターを取り付けられている。すなわち、各前脚６０は、その下端部分に、一対の車輪の向きを変更可能に当該一対の車輪を回転可能に保持している。例えば、前脚６０は金属製の筒材から構成される。
【００５３】
図示された例において、後脚６２は、その下端部分に、後輪６３を回転可能に保持している。前脚６０とは異なり、後脚６２は、後輪６３の向きを前後方向に維持する。とりわけ図示された例において、各後脚６２は、後輪６３を保持する後脚主部６２ａと、後脚主部６２ａの上端部分に接続した後脚接続部６２ｂと、を有している。例えば、後脚主部６２ａは金属製の筒材から構成され、後脚接続部６２ｂは樹脂成形物から構成される。後脚接続部６２ｂは、後脚主部６２ａに接続した延伸部６２ｂ１と、第３リンク２３（連結リンク部材６５）に接続した折り返し部６２ｂ２と、を含んでいる。延伸部６２ｂ１は、後脚主部６２ａから前後方向における前方に延び出している。折り返し部６２ｂ２は、延伸部６２ｂ１の前端部分から折り返して、後方且つ上方に延び出している。折り返し部６２ｂ２は、上端部分において第３リンク２３（連結リンク部材６５）と接続している。また、各前脚６０は、幅方向における同一の側となる後脚６２の折り返し部６２ｂ２と回動可能に接続している。
【００５４】
図２によく示されているように、一対の後脚６２の間に後方連結部材６４が設けられている。後方連結部材６４は、幅方向に延びて一対の後脚６２を連結している。
【００５５】
ところで、乳母車本体２０は、前後方向において前脚６０及び後脚６２の間を延びるスタンド部材７０を更に有している。スタンド部材７０は、前脚６０から側方に延び出した部材と後方連結部材６４とに回動可能に接続した屈曲可能なスタンド部材７０と、を更に有している。図示された例において、スタンド部材７０は、一対の前脚６０の間を連結する中央リンク部材５０の前方連結部５２と、後方連結部材６４と、に回動可能に接続している。このスタンド部材７０は、乳母車本体２０の折り畳み動作にともなって前脚６０及び後脚６２が互いに接近することで、図５に示すように座支持体４０から離間する側へ突出するように屈曲する。そして、屈曲したスタンド部材７０と一対の後輪６３とが接地することで、図５及び図６に示すように、折り畳まれた乳母車１０（乳母車本体２０）を起立させることができる。
【００５６】
図４に示すように、スタンド部材７０は、中央リンク部材５０の前方連結部５２と回動可能に接続した第１スタンド要素７１と、後方連結部材６４と回動可能に接続した第２スタンド要素７２と、を有している。第１スタンド要素７１及び第２スタンド要素７２は、幅方向に延びる第９回動軸線ＲＡ９を中心として互いに回動可能に接続している。とりわけ第１スタンド要素７１は、その前端部分において前方連結部５２に接続し、その後端部分において第２スタンド要素７２に接続している。第２スタンド要素７２は、その前端部分において第１スタンド要素７１に接続し、その後端部分において後方連結部材６４に接続している。
【００５７】
図５及び図６に示すように、乳母車１０（乳母車本体２０）を折り畳んだ際に、第１スタンド要素７１は、側面視において、前脚６０に沿って延びるようになる。図４に示すように、展開状態にある乳母車１０の側面視において、前脚６０から側方に延び出した部材（前方連結部５２）に対する第１スタンド要素の回動中心から第１スタンド要素７１の端部までの長さＬＸは、前記回動中心から前脚６０に保持された後脚６２の外周までの最長距離ＬＹよりも長くなっている。したがって、乳母車１０（乳母車本体２０）を折り畳んだ際に、第１スタンド要素７１は、側面視において、前輪６１よりも延び出すようになる。
【００５８】
図４に示された第１スタンド要素７１は、前方連結部５２と接続した第１バー材７１ａと、第１バー材７１ａの後端部分に取り付けられた端部材７１ｂと、を有している。端部材７１ｂは、第１バー材７１ａの後端を覆っている。端部材７１ｂは、後端に位置する端部７１ｂａと、端部７１ｂａよりも前方に位置し且つ上方に突出した突出部７１ｂｂと、を有している。端部材７１ｂは、この突出部７１ｂｂにおいて、第２スタンド要素７２と接続している。図５及び図６に示すように、スタンド部材７０が屈曲した際に、端部７１ｂａが突出して接地するようになる。例えば、第１バー材７１ａは金属製の筒材からなり、端部材７１ｂは樹脂成形物からなる。
【００５９】
次に、以上の構成からなる乳母車本体２０に取り付けられた収納かご１２及び座席部材１５について説明する。収納かご１２及び座席部材１５は、乳母車１０の折り畳み動作時に乳母車本体２０とともに変形する。したがって、収納かご１２及び座席部材１５は、例えば布材等の柔軟性を有した材料により作製され、乳母車本体２０にともなって変形可能な構成を有している。
【００６０】
図３に示された例において、収納かご１２は、中央リンク部材５０の前後連結部５３及び後脚６２に取り付けられている。また、収納かご１２は、スタンド部材７０によって下方から支持されている。スタンド部材７０によって支えることで、変形可能な構成を有した収納かご１２の形状を安定させることできる。これにより、収納かご１２を大容積化して収納力を改善することができる。
【００６１】
次に、座席部材１５について説明する。図３に示すように、座席部材１５は、座支持体４０によって支持される座部１５Ａと、座部１５Ａに接続した背部１５Ｂと、を有している。座部１５Ａは、乳母車１０に乗車した乳幼児の臀部に下方から対面するようになる。背部１５Ｂは、乳母車１０に乗車した乳幼児の背中に後方から対面するようになる。図示された例において、背部１５Ｂの下端部分が座部１５Ａの後端部分に接続している。背部１５Ｂは、座部１５Ａに対して揺動可能となっている。背部１５Ｂが座部１５Ａに対して揺動することで、座席部材１５のリクライニング動作が可能となっている。座席部材１５は、背部１５Ｂの後方を通過してハンドル３０の軸部３１ａに取り付けられた調節部材１８を更に有している。調節部材１８は紐状の部材である。調節部材１８の長さを調節することで、背部１５Ｂの座部１５Ａに対する傾斜角度、すなわちリクライニング角度を調節することができる。
【００６２】
また、図３に示すように、座席部材１５は、乳幼児に側方から対面するようになる側方材１６を含んでいる。側方材１６は、座部１５Ａ及び背部１５Ｂの幅方向両外方に一対設けられている。側方材１６は、座部１５Ａ及び背部１５Ｂに接続、例えば縫着されている。一対の側方材１６は、乳母車１０に乗車した乳幼児を両側方から保護し、また乳幼児を両側方から保持することを期待されている。
【００６３】
各側方材１６は、座支持体４０とハンドル３０とに取り付けられている。図示された例において、各側方材１６は、固定手段１６ａによって、幅方向における同一の側に位置する座フレーム４１の側部４１ａと、幅方向における同一の側に位置するハンドル本体３１の軸部３１ａと、に固定されている。ハンドル３０の屈曲可能な位置（屈曲軸線ＢＡの位置）は、座支持体４０がハンドル３０に接続した位置と、側方材１６がハンドル３０に接続した位置との間に位置している。とりわけ図示され例において、側方材１６は、座フレーム４１の側部４１ａとハンドル本体３１の軸部３１ａとの間において張った状態に維持され得る。このような側方材１６は、座支持体４０のハンドル３０との接続位置（第１回動軸線ＲＡ１の位置）よりも前方となる位置と、ハンドル３０の座支持体４０との接続位置（第１回動軸線ＲＡ１の位置）よりも上方となる位置と、の間を連結する連結補強手段１７として機能し、後端部分においてハンドル３０に接続した座支持体４０の前方部分を上方へと吊り上げる。連結補強手段１７として機能する側方材１６により、座支持体４０を安定して支持することができる。
【００６４】
さらに、図３に示された側方材１６は、座支持体４０への固定位置とハンドル３０への固定位置との間となる位置に、強化部材１６ｂを含んでいる。強化部材１６ｂは、側方材１６の剛性を局所的に強化する。すなわち、強化部材１６ｂが設けられている位置での側方材１６の剛性は、強化部材１６ｂが設けられていない位置での側方材１６の剛性よりも高くなっている。したがって、側方材１６を設けることによって、座支持体４０の前方部分を更に安定して上方に吊り上げることができる。とりわけ図示された強化部材１６ｂは、ワイヤやベルト材によって構成され、側方材１６の座支持体４０への固定位置と側方材１６のハンドル３０への固定位置とを結ぶ直線に沿って当該直線上に配置されている。したがって、側方材１６を効率的に補強して、座支持体４０を安定して支持することができる。
【００６５】
以上の構成を有した乳母車１０は、乳母車本体２０の各構成部材を相対回動させることにより、折り畳むことができる。具体的には、次に説明するようにハンドル３０を把持して乳母車１０を操作することで、乳母車１０を折り畳むことができる。乳母車１０を折り畳むことで、乳母車１０の寸法を保管や搬送等に適した大きさへと小型化することができる。
【００６６】
まず、ハンドル３０をいったん後上方に引き上げる。その後、ハンドル３０を下方に下げることによって、ブラケット部材６７によって構成された第４リンク２４を後脚６２に対し、図４において時計回り方向に回動させる。この操作にともなって、第１リンク２１及び第３リンク２３は、ハンドル３０に対して図４において時計回り方向に回動する。この結果、側面視においてハンドル３０と前脚６０とが側面視において略平行な配置を維持しながら互いに接近するとともに、ハンドル３０の位置が下げられるようになる。
【００６７】
また、ハンドル３０に回動可能に接続した座支持体４０は、支持フレーム材５５からなる第２リンク２２を介して、第１リンク２１に連結されている。したがって、乳母車１０の折り畳み動作時における第１リンク２１の動作は、第２リンク２２を介して座支持体４０に伝達される。具体的には、図５に示すように、座支持体４０は、側面視においてハンドル３０に対して時計回り方向に回動して、ハンドル３０に接近する。
【００６８】
加えて、スタンド部材７０は、前脚６０及び後脚６２が互いに接近するにつれて、第１スタンド要素７１及び第２スタンド要素７２の接続位置（第９回動軸線ＲＡ９の位置）が下方に突出するよう、屈曲する。
【００６９】
以上の結果、図５に示された第１の折り畳み状態へと乳母車１０を折り畳むことができ、前後方向および上下方向における寸法を小型化させることができる。図５に示すように、第１の折り畳み状態にある乳母車１０は、スタンド部材７０と一対の後輪６３を接地させた状態で、起立させることができる。なお、図５に示された第１の折り畳み状態から展開状態へ乳母車１０を展開させるには、上述した折り畳み操作と逆の手順を踏めばよい。
【００７０】
次に、ハンドル本体３１の第１ハンドル要素３２に対し屈曲軸線ＢＡを中心として第２ハンドル要素３３を回動させることで、ハンドル３０を屈曲させる。これにより、乳母車１０を図６に示された第２の折り畳み状態として、上下方向への寸法を大幅に小型化させることができる。図６に示すように、第２の折り畳み状態にある乳母車１０は、スタンド部材７０と一対の後輪６３を接地させた状態で、起立させることができる。なお、図６に示された第２の折り畳み状態から図５に示された第１の折り畳み状態へ乳母車１０を展開させるには、上述した折り畳み操作と逆の手順を踏めばよい。
【００７１】
以上に説明した乳母車１０では、乳母車本体２０のハンドル３０、前脚６０及び後脚６２を折り畳むためのリンク構成の上方に、座支持体４０が配置されている。とりわけ、座支持体４０は、第１リンク２１よりも上方に位置し、更に第３リンク２３よりも上方に位置している。したがって、座支持体４０を高い位置に保持することができる。座支持体４０の保持位置を高く上げることで、この座支持体４０上に着座する乳幼児を、乳母車１０の走行面から離間させることができる。これにより、走行面からの輻射熱や走行面上の粉塵等から、乳母車１０に乗車した乳幼児を遠ざけて保護することができ、乗り心地を向上させることができる。
【００７２】
ところで、乳母車本体２０は、意図しない折り畳み動作を規制するため、第１折り畳み規制部材２６及び第２折り畳み規制部材２７を有している。第１折り畳み規制部材２６は、ハンドル３０に支持され、ハンドル３０と他の構成要素との相対動作を規制する。第１折り畳み規制部材２６は、ハンドル３０と他のいずれかの構成要素との相対動作を規制することで、例えば第１〜第４リンク２１〜２４、前脚６０及び後脚６２のいずれか一つとハンドル３０との相対動作を規制することで、乳母車１０の折り畳み動作を規制することができる。第２折り畳み規制部材２７は、ハンドル３０に支持され、ハンドル３０の屈曲を規制する。
【００７３】
図示された乳母車１０において、ハンドル３０に支持された第１折り畳み規制部材２６は、図示しない付勢手段により、下方に向けて付勢されている。図７Ａ〜図７Ｃに示すように、下方に付勢された第１折り畳み規制部材２６は、ハンドル３０から下方に突出し、後脚６２に設けられた凹部６２ｃ内に入り込む。ハンドル３０に支持された第１折り畳み規制部材２６と後脚６２の凹部６２ｃとの係合により、ハンドル３０と後脚６２との相対動作が規制される。加えて図示された例では、図７Ａ〜図７Ｂに示すように、第１折り畳み規制部材２６は、ハンドル３０から幅方向内方に突出している。下方に付勢された第１折り畳み規制部材２６は、ブラケット部材６７によって構成された第４リンク２４の切欠２４ａに入り込む。ハンドル３０に支持された第１折り畳み規制部材２６と第４リンク２４の切欠２４ａとの係合により、ハンドル３０と第４リンク２４との相対動作が規制される。このような第１折り畳み規制部材２６によれば、ハンドル３０の座支持体４０に対する相対回動にともなった乳母車１０の折り畳み動作を規制することができる。第１折り畳み規制部材２６による折り畳み動作の規制は、第１折り畳み規制部材２６を引き上げることにより、解除される。
【００７４】
図７Ａ〜図７Ｃに示すように、第２折り畳み規制部材２７は、ハンドル本体３１の第１ハンドル要素３２及び第２ハンドル要素３３の接続箇所に配置されている。第１ハンドル要素３２は第１回動ハウジング３２ａを有し、第２ハンドル要素３３は第２回動ハウジング３３ａを有している。第１回動ハウジング３２ａ及び第２回動ハウジング３３ａは、屈曲軸線ＢＡを中心として回動可能に互いに接続している。第２折り畳み規制部材２７は、第１回動ハウジング３２ａ及び第２回動ハウジング３３ａによって形成されるハウジング内に設けられている。第１回動ハウジング３２ａ及び第２回動ハウジング３３ａは幅方向に並んでいる。第２折り畳み規制部材２７は、幅方向に移動可能となるようにして第２回動ハウジング３３ａに保持されている。第２折り畳み規制部材２７は、付勢手段３５によって幅方向に沿って第１回動ハウジング３２ａに向けて付勢されている。第２折り畳み規制部材２７が、第１回動ハウジング３２ａ及び第２回動ハウジング３３ａの両方に跨がって位置することで、第１回動ハウジング３２ａ及び第２回動ハウジング３３ａの屈曲軸線ＢＡを中心とした相対回動が規制される。したがって、第２折り畳み規制部材２７を第２回動ハウジング３３ａ内に押し込むことで、ハンドル３０の屈曲規制を解除することができる。
【００７５】
第１折り畳み規制部材２６及び第２折り畳み規制部材２７は、ハンドル３０に設けられた遠隔操作装置３４によって操作することができる。遠隔操作装置３４は、例えば操作レバーとして構成された、操作部３４ａを有している。操作部３４ａの操作は、伝達手段３８を介して、第１折り畳み規制部材２６及び第２折り畳み規制部材２７の両方に伝達される。すなわち、遠隔操作装置３４の操作部３４ａを操作することで、第１折り畳み規制部材２６及び第２折り畳み規制部材２７の両方の規制を解除することができる。
【００７６】
図７Ａ〜図７Ｃに示された例において、伝達手段３８は、第１伝達ワイヤ３８Ａ、第２伝達ワイヤ３８Ｂ及び中間操作部材３８Ｃを有している。中間操作部材３８Ｃは、第１伝達ワイヤ３８Ａ及び第２伝達ワイヤ３８Ｂの間に配置されている。第１伝達ワイヤ３８Ａは、その両端において、遠隔操作装置３４の操作部３４ａと中間操作部材３８Ｃとに接続している。第２伝達ワイヤ３８Ｂは、その両端において、遠隔操作装置３４の操作部３４ａと第１折り畳み規制部材２６とに接続している。中間操作部材３８Ｃは、第１回動ハウジング３２ａ及び第２回動ハウジング３３ａによって形成されるハウジング内に位置している。このハウジング内において、中間操作部材３８Ｃは、第２折り畳み規制部材２７に幅方向に隣接して位置している。
【００７７】
また、第１伝達ワイヤ３８Ａ及び第２伝達ワイヤ３８Ｂは、それぞれ、図示しない筒状部材内に配置されている。そして、図示しない筒状部材の両端はハンドル３０に固定されている。第１伝達ワイヤ３８Ａ及び第２伝達ワイヤ３８Ｂは、その両端部において筒状部材外に位置するが、筒状部材外においては弛まないように筒状部材の配置が調節されている。したがって、遠隔操作装置３４の操作部３４ａの操作量に応じて、中間操作部材３８Ｃの動作量および第１折り畳み規制部材２６の動作量が決定される。
【００７８】
中間操作部材３８Ｃは、第１ハンドル要素３２の第１回動ハウジング３２ａ内に保持されている。中間操作部材３８Ｃは、遠隔操作装置３４の操作部３４ａの操作量に応じた長さだけハンドル３０の長手方向に移動する。また、中間操作部材３８Ｃは、第１回動ハウジング３２ａに設けられた凸部３２ｂと接触可能な凸部３８Ｃａを有している。中間操作部材３８Ｃの凸部３８Ｃａと第１回動ハウジング３２ａの凸部３２ｂとが接触することで、中間操作部材３８Ｃは第１回動ハウジング３２ａ内に幅方向外方に移動する。第２折り畳み規制部材２７は、付勢手段３５によって幅方向内方に付勢され、中間操作部材３８Ｃに向けて押圧されている。中間操作部材３８Ｃが幅方向外方に移動することで、第２折り畳み規制部材２７を幅方向外方に押して、第２折り畳み規制部材２７によるハンドル３０の屈曲規制を解除することが可能となる。
【００７９】
図示された乳母車１０では、遠隔操作装置３４の操作部３４ａを第１操作量（図７Ｂ参照）だけ操作した場合に、第２折り畳み規制部材２７によってハンドル３０の屈曲が規制されたまま、第１折り畳み規制部材２６によるハンドル３０の第１リンク２１に対する回動の規制が解除される。具体的には、図７Ａに示す状態から図７Ｂに示す状態まで操作部３４ａを第１操作量だけ操作した場合、伝達手段３８を介して、第１折り畳み規制部材２６を引き上げることができる。これにより、後脚６２の凹部６２ｃから第１折り畳み規制部材２６を引き上げることができ、且つ、第４リンク２４の切欠２４ａから第１折り畳み規制部材２６を引き上げることができる。このとき、図７Ｂに示すように、中間操作部材３８Ｃの凸部３８Ｃａは、まだ第１回動ハウジング３２ａの凸部３２ｂには接触していない。したがって、中間操作部材３８Ｃ及び第２折り畳み規制部材２７は幅方向に移動していない。第２折り畳み規制部材２７は、第１回動ハウジング３２ａ及び第２回動ハウジング３３ａに跨がって位置し、ハンドル３０の屈曲を規制する。
【００８０】
次に、図７Ｂに示す状態から図７Ｃに示す状態まで操作部３４ａを更に操作した場合、伝達手段３８を介して、中間操作部材３８Ｃを更に引き上げて、中間操作部材３８Ｃの凸部３８Ｃａを第２回動ハウジング３３ａの凸部３２ｂに接触させることができる。凸部３８Ｃａと凸部３２ｂとの接触により、中間操作部材３８Ｃを幅方向外方に移動させることができる。これにより、中間操作部材３８Ｃを介して第２折り畳み規制部材２７を第２回動ハウジング３３ａ内に押し込むことができ、ハンドル３０の屈曲規制を解除することができる。つまり、図７Ａに示す状態から図７Ｂに示す状態まで、第１操作量よりも大きい第２操作量だけ、遠隔操作装置３４の操作部３４ａを操作した場合には、第１折り畳み規制部材２６によるハンドル３０の第１リンク２１に対する回動の規制を解除することができ、且つ、第２折り畳み規制部材２７によるハンドル３０の屈曲の規制を解除することができる。
【００８１】
上述した一実施の形態において、乳母車１０は、ハンドル３０と、ハンドル３０の上下方向における中間部分と回動可能に接続し乳幼児の臀部を支持する座支持体４０と、ハンドル３０の下端部分と回動可能に接続した第１リンク２１と、第１リンク２１と回動可能に接続した前脚６０と、座支持体４０及び第１リンク２１と回動可能に接続した第２リンク２２と、を有する。このような一実施の形態によれば、前脚とハンドルの下端部分との間を延びる第１リンクよりも上方となる位置に座支持体を配置することができる。しかも、乳母車の折り畳み動作を可能にする第２リンクによって、座支持体を下方から支持することができる。すなわち、座支持体を高い位置に安定して保持することが可能となる。これにより、乳母車に乗車した乳幼児を走行面（路面）の粉塵や温度等から効果的に保護することができ、また、乗り心地を効果的に改善することができる。
【００８２】
上述した一実施の形態の具体例において、ハンドル３０は、座支持体４０との接続位置よりも上方となる位置において屈曲可能となっている。したがって、座支持体４０を高い位置に保持することができる乳母車１０の折り畳み時の寸法を効果的に小型化することができる。
【００８３】
上述した一実施の形態の具体例において、乳母車１０は、ハンドル３０に支持され、ハンドル３０の第１リンク２１に対する回動を規制する第１折り畳み規制部材２６と、ハンドル３０に支持され、ハンドル３０の屈曲を規制する第２折り畳み規制部材２７と、ハンドル３０に設けられた遠隔操作装置３４の操作を第１折り畳み規制部材２６及び第２折り畳み規制部材２７に伝達する伝達手段３８と、を更に有する。この乳母車１０では、乳母車１０の展開状態の解除とハンドル３０の伸展状態の解除との両方を、一つの遠隔操作装置３４の操作により実現することができる。したがって、折り畳み操作時の寸法を小型化し得る乳母車１０の操作性を向上させることができる。
【００８４】
上述した一実施の形態の具体例において、遠隔操作装置３４を第１操作量だけ操作した場合に、第２折り畳み規制部材２７によってハンドル３０の屈曲が規制されたまま、第１折り畳み規制部材２６によるハンドル３０の第１リンク２１に対する回動の規制が解除される。また、第１操作量よりも大きい第２操作量だけ遠隔操作装置３４を操作した場合、第１折り畳み規制部材２６によるハンドル３０の第１リンク２１に対する回動の規制が解除され、且つ、第２折り畳み規制部材２７によるハンドル３０の屈曲の規制が解除される。すなわち、遠隔操作装置３４の操作を開始した後、まず乳母車１０を折り畳むことが可能となる。その後、遠隔操作装置３４の操作を更に継続することで、ハンドル３０を屈曲させることができる。したがって、乳母車１０の保管スペース等に応じて、折り畳み状態にある乳母車１０の寸法を段階的に小型化することができる。また、乳母車１０の折り畳み動作の開始時にハンドル３０の屈曲が規制されているので、ハンドル３０を把持しながら、乳母車１０を安定して折り畳むことができる。
【００８５】
上述した一実施の形態の具体例において、乳母車１０の側面視において、ハンドル３０の屈曲可能な位置から上端までの長さＬＵは、ハンドル３０の屈曲可能な位置かＬＬら下端までの長さよりも長くなっている。このような乳母車１０によれば、ハンドル３０を屈曲することで、乳母車１０の折り畳み寸法を顕著に小型化することができる。
【００８６】
上述した一実施の形態の具体例において、乳母車１０は、座支持体４０上に設けられた座席部材１５を更に有する。座席部材１５は、座支持体４０とハンドル３０とに取り付けられ且つ乳幼児に側方から対面するようになる側方材１６を含み、ハンドル３０の曲可能な位置は、座支持体４０が接続した位置と、側方材１６が接続した位置との間にある。このような乳母車１０では、乳幼児の居住空間となる高さ位置において、ハンドル３０を屈曲することができる。したがって、ハンドル３０を屈曲することで、乳母車１０の折り畳み寸法を顕著に小型化することができる。
【００８７】
上述した一実施の形態の具体例において、座支持体４０のハンドル３０との接続位置よりも前方となる位置と、ハンドル３０の座支持体４０との接続位置よりも上方となる位置と、の間を連結する連結補強手段１７が設けられている。このような乳母車１０では、座支持体４０のハンドル３０との接続位置よりも前方となる位置を、連結補強手段１７を用いて上方に吊り上げることができる。連結補強手段１７を用いることで、座支持体４０を高い位置に更に安定して支持することができる。
【００８８】
上述した一実施の形態の具体例において、乳母車１０は座支持体４０上に設けられた座席部材１５を更に有する。座席部材１５は、座支持体４０とハンドル３０とに取り付けられ且つ乳幼児に側方から対面するようになる側方材１６を含んでいる。側方材１６が連結補強手段１７を構成している。このような乳母車１０では、座席部材１５によって、座支持体４０のハンドル３０との接続位置よりも前方となる位置を、上方に吊り上げることができる。したがって、乳母車１０の重量化を効果的に回避しながら、座支持体４０を高い位置に更に安定して支持することができる。
【００８９】
上述した一実施の形態の具体例において、乳母車１０は、前脚６０よりも後方に位置する一対の後脚６２と、一対の後脚６２を連結する後方連結部材６４と、前脚６０から側方に延び出した部材と後方連結部材６４とに回動可能に接続した屈曲可能なスタンド部材７０と、を更に有する。スタンド部材７０は、乳母車１０を折り畳んだ際に屈曲し、屈曲したスタンド部材７０と一対の後脚６２に保持された後輪６３とが接地することで折り畳まれた乳母車１０を起立させることができる。このような乳母車１０では、折り畳みを実現するためのリンク構成や座支持体４０の配置の自由度を確保しながら、折り畳まれた乳母車１０を起立させることができる。これにより、折り畳まれた乳母車１０の保管スペースを効果的に小さくすることができ、且つ、折り畳まれた乳母車１０の取り扱い性を効果的に改善することができる。
【００９０】
上述した一実施の形態の具体例において、スタンド部材７０は、前脚６０から側方に延び出した部材と回動可能に接続した第１スタンド要素７１と、後方連結部材６４及び第１スタンド要素７１と回動可能に接続した第２スタンド要素７２と、を有する。側面視において、前脚６０から側方に延び出した部材（前方連結部５２）に対する第１スタンド要素７１の回動中心から第１スタンド要素７１の端部までの長さＬＸは、前記回動中心から前脚６０に保持された後脚６２の外周までの最長距離ＬＹよりも長くなっている。このような乳母車１０では、折り畳みを実現するためのリンク構成や座支持体４０の配置の自由度を確保しながら前脚６０の長さを決定した場合においても、スタンド部材７０を用いて折り畳まれた乳母車１０を起立させることが可能となる。
【００９１】
上述した一実施の形態の具体例において、スタンド部材７０は、前脚６０から側方に延び出した部材（前方連結部５２）と回動可能に接続した第１スタンド要素７１と、後方連結部材６４及び第１スタンド要素７１と回動可能に接続した第２スタンド要素７２と、を有している。折り畳んだ乳母車の側面視において、第１スタンド要素７１は、前脚６０に沿って延び且つ前脚６０から延び出している。このような乳母車１０では、折り畳みを実現するためのリンク構成や座支持体４０の配置の自由度を確保しながら前脚６０の長さを決定した場合においても、スタンド部材７０を用いて折り畳まれた乳母車１０を安定して起立させることが可能となる。
【００９２】
上述した一実施の形態の具体例において、乳母車１０はスタンド部材７０によって下方から支持された収納かご１２を更に有している。このような乳母車１０では、スタンド部材７０によって収納かご１２を下方から支持することで、収納かご１２の形状を安定させることができる。したがって、収納かご１２を大容積化して収納力を改善することができる。
【００９３】
また、上述した一実施の形態において、乳母車１０は、屈曲可能なハンドル３０と、ハンドル３０の屈曲可能な位置よりも下方となる位置で当該ハンドル３０と回動可能に接続し乳幼児の臀部を支持するようになる座支持体４０と、ハンドル３０に支持され、ハンドル３０の座支持体４０に対する相対回動にともなった折り畳み動作を規制する第１規制部材２６と、ハンドル３０に支持され、ハンドル３０の屈曲を規制する第２規制部材２７と、ハンドル３０に設けられた遠隔操作装置３４の操作を第１規制部材２６および第２規制部材２７に伝達する伝達手段３８と、を有している。このような一実施の形態によれば、ハンドル３０を屈曲させることで乳母車１０の折り畳み時の寸法を効果的に小型化することができる。しかも、乳母車１０の展開状態の解除とハンドル３０の伸展状態の解除との両方を、一つの遠隔操作装置３４の操作により実現することができる。したがって、折り畳み操作時の寸法を小型化し得る乳母車１０の操作性を向上させることができる。すなわち、本実施の形態によれば、簡易な操作で折り畳むことができるとともに折り畳み状態での寸法を小型化する、といった課題を解決することができる。
【００９４】
さらに、上述した一実施の形態において、乳母車１０は、ハンドル３０と、ハンドル３０と回動可能に接続し、乳幼児の臀部を支持するようになる座支持体４０と、を有している。座支持体４０のハンドル３０との接続位置よりも前方となる位置と、ハンドル３０の座支持体４０との接続位置よりも上方となる位置と、の間を連結する連結補強手段１７が設けられている。このような一実施の形態によれば、座支持体４０のハンドル３０との接続位置よりも前方となる位置を、連結補強手段１７を用いて上方に吊り上げることができる。連結補強手段１７を用いることで、座支持体４０を高い位置に更に安定して支持することができる。すなわち、本実施の形態によれば、座支持体４０の配置の自由度を確保しながら、座支持体４０を安定して支持する、といった課題を解決することができる。
【００９５】
さらに、上述した一実施の形態において、折り畳み可能な乳母車１０は、前脚６０と、前脚６０よりも後方に位置する一対の後脚６２と、一対の後脚６２を連結する後方連結部材６４と、前脚６０から側方に延び出した部材（前方連結部５２）と後方連結部材６４とに回動可能に接続した屈曲可能なスタンド部材７０と、を有している。スタンド部材７０は、乳母車１０を折り畳んだ際に屈曲し、屈曲したスタンド部材７０と一対の後脚６２に保持された後輪６３とが接地することで折り畳まれた乳母車１０を起立させることができる。このような一実施の形態によれば、折り畳みを実現するためのリンク構成や座支持体４０の配置の自由度を確保しながら、折り畳まれた乳母車１０を起立させることができる。これにより、折り畳まれた乳母車１０の保管スペースを効果的に小さくすることができ、且つ、折り畳まれた乳母車１０の取り扱い性を効果的に改善することができる。すなわち、本実施の形態によれば、折り畳みを実現するためのリンク構成や座支持体の配置の自由度を確保しながら、折り畳まれた乳母車１０を起立させる、といった課題を解決することができる。
【００９６】
図示された具体例を参照して一実施の形態を説明してきたが、図示された具体例が一実施の形態を限定することを意図していない。上述した一実施の形態は、その他の様々な具体例で実施されることが可能であり、その要旨を逸脱しない範囲で、種々の省略、置き換え、変更、追加等を行うことができる。
【００９７】
上述した具体例において、乳母車１０が一対の前脚６０及び一対の後脚６２を有する例を示したが、この例に限られない。一例として、乳母車１０が単一の前脚６０及び一対の後脚６２を有するようにしてもよい。この例において、スタンド部材７０は、前脚６０と後方連結部材６４とに回動可能に接続していてもよい。またこの例において、スタンド部材７０の第１スタンド要素７１は、前脚６０と回動可能に接続するようにしてもよい。
【００９８】
さらに、上述した具体例において、乳幼児の臀部を支持するようになる座支持体４０は、ハンドル３０に回動可能に接続する例を示した。しかしながら、この例に限られず、乳母車１０が、乳幼児の臀部を支持する座支持体４０と、座支持体４０の後端部分と回動可能に接続した主リンクと、主リンクの下端部分と回動可能に接続した第１リンク２１と、第１リンク２１の前端部分と回動可能に接続した前脚６０と、座支持体４０及び第１リンク２１と回動可能に接続した第２リンク２２と、主リンクと回動可能に接続したハンドル３０と、を備えるようにしてもよい。この乳母車によれば、ハンドル３０を背面押し位置と対面押し位置との間で揺動可能とすることができる。背面押し位置において、ハンドル３０は乳幼児の背面側に位置し、保護者は乳幼児の背面側から乳母車を押して乳母車を進めることができる。対面押し位置において、ハンドル３０は乳幼児に対面する側に位置し、保護者は乳幼児に対面する側から乳母車を押して乳母車を進める。また、このような乳母車１０によっても、上述した具体例と同様の作用効果を奏することができる。すなわち、主リンクの下端部分と前脚６０との間を延びる第１リンク２１よりも上方となる位置に座支持体４０を配置することができる。しかも、乳母車１０の折り畳み動作を可能にする第２リンク２２によって、座支持体４０を下方から支持することができる。すなわち、座支持体４０を高い位置に安定して保持することが可能となる。これにより、乳母車１０に乗車した乳幼児を走行面（路面）の粉塵や温度等から効果的に保護することができ、且つ、乗り心地を効果的に改善することができる。
【符号の説明】
【００９９】
１０   乳母車
１２   収納かご
１５   座席部材
１５Ａ 座部
１５Ｂ 背部
１６   側方材
１６ａ 固定手段
１６ｂ 強化部材
１７   連結補強手段
１８   調節部材
２０   乳母車本体
２１   第１リンク
２２   第２リンク
２３   第３リンク
２４   第４リンク
２４ａ 切欠
２６   第１折り畳み規制部材
２７   第２折り畳み規制部材
２８   軸部材
３０   ハンドル
３１   ハンドル本体
３１ａ 軸部
３１ｂ 中間部
３２   第１ハンドル要素
３２ａ 第１回動ハウジング
３２ｂ 凸部
３３   第２ハンドル要素
３３ａ 第２回動ハウジング
３４   遠隔操作装置
３４ａ 操作部
３５   付勢手段
３８   伝達手段
３８Ａ 第１伝達ワイヤ
３８Ｂ 第２伝達ワイヤ
３８Ｃ 中間操作部材
３８Ｃａ      凸部
４０   座支持体
４１   座フレーム
４１ａ 側部
４１ｂ 前部
４１ｃ 後部
４２   座ベース布材
４３   延出補助フレーム
４４   座取り付け部材
４５   ガード材
５０   中央リンク部材
５１   後方連結部
５２   前方連結部
５３   前後連結部
５５   支持フレーム材
ＲＡ１ 第１回動軸線ＲＡ１
ＲＡ２ 第２回動軸線ＲＡ２
ＲＡ３ 第３回動軸線ＲＡ３
ＲＡ４ 第４回動軸線ＲＡ４
ＲＡ５ 第５回動軸線ＲＡ５
ＲＡ６ 第６回動軸線ＲＡ６
ＲＡ７ 第７回動軸線ＲＡ７
ＲＡ８ 第８回動軸線ＲＡ８
ＲＡ９ 第９回動軸線ＲＡ９
ＢＡ   屈曲軸線ＢＡ
【図１】
2020196322.tif 000003
【図２】
2020196322.tif 000004
【図３】
2020196322.tif 000005
【図４】
2020196322.tif 000006
【図５】
2020196322.tif 000007
【図６】
2020196322.tif 000008
【図７Ａ】
2020196322.tif 000009
【図７Ｂ】
2020196322.tif 000010
【図７Ｃ】
2020196322.tif 000011